(57)【要約】【課題】機器本体の下面部を下側とし、スタンドで支持する縦置きでの使用において、上面部を下側とする縦置きに容易に変更できる。【解決手段】スタンド３の表面部３Ａに２つの係止部５が形成され、機器ケーシング４の上下面部４Ｃ，４Ｄにそれぞれ、スタンド３の表面部３Ａに直交する方向であって機器本体２のケーシング上下方向Ｓ１の相対移動により係止部５，５に係脱可能に係合する第１被係合部６，６，７，７が対称に形成されている。機器ケーシング４の背面部４Ｂに、スタンド３の表面部３Ａと平行な方向であってスタンド３に対する機器本体２のケーシング左右方向Ｓ２の相対移動により係止部５，５に係脱可能に係合する第３被係合部８，８が形成されている。【選択図】  図３
2014239163.tif 000002
【特許請求の範囲】
【請求項１】
正面部、背面部、上下面部及び左右側面部を有する機器ケーシングを有する機器本体と、表裏面部を有し前記機器本体を安定状態に支持可能であるスタンドを備える電子機器であって、
前記スタンドの表面部に係止部が形成され、
前記機器ケーシングの上下面部にそれぞれ、前記スタンドの表面部に直交する方向であって前記機器本体のケーシング上下方向の相対移動により前記係止部に係脱可能に係合する第１および第２被係合部が対称に形成され、
前記機器ケーシングの背面部に、前記スタンドの表面部と平行な方向であって前記スタンドに対する前記機器本体のケーシング左右方向の相対移動により前記係止部に係脱可能に係合する第３被係合部が形成されていることを特徴とする電子機器。
【請求項２】
前記スタンドの表面部には、前記スタンドの係止部に前記機器本体の第１および第２被係合部を係止させる際に用いられる第１位置決めマークが設けられ、
前記機器ケーシングの背面部に前記第１位置決めマークに対応する第２位置決めマークが設けられている、請求項１記載の電子機器。
【請求項３】
前記第１および第２被係合部は、上下面部に平行に延びる第１および第２板状部を有するものであり、
前記係止部は、前記第１板状部の幅に対応する間隔を介して設けられ前記第１板状部または第２板状部に係合して前記機器本体を係止する１対の係止爪を有し、前記各係止爪が、前記第１板状部または第２板状部の各側縁に係合する爪部と、この爪部を前記表面部に連結する連結部とを有し、前記連結部が可撓性を有する、請求項１または２記載の電子機器。
【請求項４】
前記機器ケーシングの背面部に凹部が形成され、
前記第３被係合部は、凹部内に設けられ前記背面部と平行にかつケーシング左右方向に延びる第３板状部を有し、
前記係止部は、前記第３板状部の幅に対応する間隔を介して設けられ前記第３板状部に係合して前記機器本体を係止する１対の係止爪を有し、
前記各係止爪が、前記第３板状部の各側縁に係合する爪部と、この爪部を前記表面部に連結する連結部とを有し、前記連結部が可撓性を有する、請求項１または２記載の電子機器。
【請求項５】
壁面に前記スタンドを取り付け、前記スタンドに前記機器本体を係止させて使用する場合には、
前記スタンドは前記第１位置決めマークが下側になるように取り付けられ、
前記係止爪は、さらに前記爪部の端部に設けられ前記爪部の長手方向に突出する延長フック部を有し、前記延長フック部は、第１位置決めマークが設けられている側とは反対側に突出している、請求項４記載の電子機器。
【請求項６】
前記スタンドの表面部には、前記係止部に対応して前記係止部を挟んで両側に第１および第２規制凸部が突出して設けられる一方、前記機器本体の背面側に前記第１規制凸部に対応して第３および第４規制凸部が設けられ、
前記第３被係合部に前記係止部を係合させる際に、前記第１規制凸部が第３規制凸部を乗り越え、第２規制凸部が第４規制凸部に乗り上げる構成とされる、請求項４または５記載の電子機器。
【発明の詳細な説明】
【技術分野】
【０００１】
本発明は、デジタル伝送受信機の受信端末などの、小型の電子機器に関する。
【背景技術】
【０００２】
一般に、電子機器として、正面部、背面部、上下面部及び左右側面部を有する直方体形状の機器ケーシングを有する機器本体と、表裏面部を有し前記機器本体を安定状態に支持可能であるスタンドを備えるものは知られており（例えば特許文献１〜３参照）、それらは、下面部をスタンドで支持させた縦置き状態で卓上に置かれて使用されたり、壁面に取り付けて使用されたりする。
【先行技術文献】
【特許文献】
【０００３】
【特許文献１】特開２００２−１３４９３６号公報
【特許文献２】特開２００５−２１７２５７号公報
【特許文献３】特開２００３−１５２３４４号公報
【発明の概要】
【発明が解決しようとする課題】
【０００４】
前記特許文献１〜３に記載のものでは、卓上に置かれて使用される場合には、下面部をスタンドで支持させた縦置き状態となるため、上下方向の向きが決まっている。そのため、設置場所によっては、電子機器から引き出されている配線などが邪魔となって、設置することが困難となる場合がある。設置する場所を変更する場合も同様である。
【０００５】
本発明は、機器本体の下面部を下側とし、スタンドで支持する縦置きでの使用において、上面部を下側とする縦置きに容易に変更できる電子機器を提供することを目的とする。
【課題を解決するための手段】
【０００６】
請求項１の発明は、正面部、背面部、上下面部及び左右側面部を有する機器ケーシングを有する機器本体と、表裏面部を有し前記機器本体を安定状態に支持可能であるスタンドを備える電子機器であって、前記スタンドの表面部に係止部が形成され、前記機器ケーシングの上下面部にそれぞれ、前記スタンドの表面部に直交する方向であって前記機器本体のケーシング上下方向の相対移動により前記係止部に係脱可能に係合する第１および第２被係合部が対称に形成され、前記機器ケーシングの背面部に、前記スタンドの表面部と平行な方向であって前記スタンドに対する前記機器本体のケーシング左右方向の相対移動により前記係止部に係脱可能に係合する第３被係合部が形成されていることを特徴とする。
【０００７】
このようにすれば、背面部を下側とする横置きでの使用だけでなく、上面部あるいは下面部を下側とし、スタンドで支持する縦置きでの使用や、また、壁面に取り付けたスタンドに機器本体を係止させる壁掛けも可能となる。いずれの場合も、設置作業が容易で、専門的な工具・技能を必要としないので、設置態様の変更も簡単である。
【０００８】
例えば、縦置き使用で、電子機器から引き出されている配線などが邪魔となって設置が困難な場合、機器本体の上下を反転させて配線などの位置を変えることで、設置を可能とすることができる。また、設置場所を変更する場合も、設置場所に応じて設置態様を適宜変更することができる。
【０００９】
請求項２に記載のように、前記スタンドの表面部には、前記スタンドの係止部に前記機器本体の第１および第２被係合部を係止させる際に用いられる第１位置決めマークが設けられ、前記機器ケーシングの背面部に前記第１位置決めマークに対応する第２位置決めマークが設けられている、ことが望ましい。
【００１０】
このようにすれば、第１および第２位置決めマークを基準にして、機器ケーシング（機器本体）とスタンドとの係合を容易に行うことができる。
【００１１】
請求項３に記載のように、前記第１および第２被係合部は、上下面部に平行に延びる第１および第２板状部を有するものであり、前記係止部は、前記第１板状部の幅に対応する間隔を介して設けられ前記第１板状部または第２板状部に係合して前記機器本体を係止する１対の係止爪を有し、前記各係止爪が、前記第１板状部または第２板状部の各側縁に係合する爪部と、この爪部を前記表面部に連結する連結部とを有し、前記連結部が可撓性を有する、構成とすることが望ましい。
【００１２】
このようにすれば、第１および第２被係合部は、スタンドの係止部にて係止される板状部を有するので、スタンドに機器本体の上下を反転させた取り付けを可能とする構造を簡単に実現できる。しかも係止爪部の爪部で弾性的に係止しているので、取り外し性を損なうことなく、係止を確実とすることができる。
【００１３】
請求項４に記載のように、前記機器ケーシングの背面部に凹部が形成され、前記第３被係合部は、凹部内に設けられ前記背面部と平行にかつケーシング左右方向に延びる第３板状部を有し、前記係止部は、前記第３板状部の幅に対応する間隔を介して設けられ前記第３板状部に係合して前記機器本体を係止する１対の係止爪を有し、前記各係止爪が、前記第３板状部の各側縁に係合する爪部と、この爪部を前記表面部に連結する連結部とを有し、前記連結部が可撓性を有する、構成とすることができる。
【００１４】
このようにすれば、スタンドを壁面に取り付け、第３板状部の先端側から第３板状部をスタンドの係止部（１対の係止爪）に係合させることで機器本体を壁面に取り付けることもできる。
【００１５】
請求項５に記載のように、壁面に前記スタンドを取り付け、前記スタンドに前記機器本体を係止させて使用する場合には、前記スタンドは前記第１位置決めマークが下側になるように取り付けられ、前記係止爪は、さらに前記爪部の端部に設けられ前記爪部の長手方向に突出する延長フック部を有し、前記延長フック部は、第１位置決めマークが設けられている側とは反対側に突出している、構成とすることができる。
【００１６】
このようにすれば、第１位置決めマークを利用することで、壁掛けの場合に、スタンドの向きを誤りなく、取り付けることができる。また、延長フック部を設けることで、係合が確実となる。
【００１７】
請求項６に記載のように、前記スタンドの表面部には、前記係止部に対応して前記係止部を挟んで両側に第１および第２規制凸部が突出して設けられる一方、前記機器本体の背面側に前記第１規制凸部に対応して第３および第４規制凸部が設けられ、前記第３被係合部に前記係止部を係合させる際に、前記第１規制凸部が第３規制凸部を乗り越え、第２規制凸部が第４規制凸部に乗り上げる構成とされる、ことが望ましい。
【００１８】
このようにすれば、取り付け状態でガタつくのを防止する上で有利となる。
【発明の効果】
【００１９】
本発明は、背面部を下側とする横置きでの使用だけでなく、上面部あるいは下面部を下側とし、スタンドで支持する縦置きでの使用や、また、壁面に取り付けたスタンドに機器本体を係止させる壁掛けも可能となる。いずれの場合も、設置作業が容易で、専門的な工具・技能を必要としないので、設置態様の変更も簡単である。
【図面の簡単な説明】
【００２０】
【図１】本発明に係る電子機器の一実施の形態（例えば、デジタル伝送受信機の受信端末）を、縦置きとして前側から見た斜視図である。
【図２】後側から見た、同斜視図である。
【図３】機器本体とスタンドとを分離して示す斜視図である。
【図４】スタンドを示し、（ａ）は正面図、（ｂ）は背面図、（ｃ）は斜視図、（ｄ）は図４（ａ）のＡ−Ａ線断面図である。
【図５】（ａ）は機器本体の平面図、（ｂ）は同底面図、（ｃ）は図５（ｂ）のＢ−Ｂ線断面図である。
【図６】（ａ）（ｂ）は、係止部（係止爪部）を第１および第２被係合部に係合させる動作の説明図である。
【図７】（ａ）は、壁掛けとするためにスタンドを背面部に係合させる少し前の状態を示す説明図、（ｂ）は図７（ａ）のＣ−Ｃ線断面図である。
【図８】（ａ）は、壁掛けとするためにスタンドを背面部に係合した状態を示す説明図、（ｂ）は図８（ａ）のＤ−Ｄ線断面図、（ｃ）は図８（ａ）のＥ−Ｅ線断面図である。
【図９】上面部を下側とした縦置きの場合を示す説明図である。
【図１０】横置き使用の場合を示す説明図である。
【発明を実施するための形態】
【００２１】
以下、本発明の実施の形態を図面に沿って説明する。
【００２２】
図１は本発明に係る電子機器の一実施の形態（例えば、デジタル伝送受信機の受信端末）を、縦置きとして前側から見た斜視図、図２は後側から見た、同斜視図、図３は機器本体とスタンドとを分離して示す斜視図である。
【００２３】
図１〜図３に示すように、１は電子機器（例えば、デジタル伝送受信機の受信端末）で、直方体形状の機器本体２と、機器本体２を安定状態に支持可能であるスタンド３とを備える。機器本体２は、正面部４Ａ、背面部４Ｂ、上下面部４Ｃ，４Ｄ及び左右側面部４Ｅ，４Ｆを有する直方体形状の機器ケーシング４を備え、そのケーシング内部に各種必要部品が収納されている。なお、機器ケーシング４は、複数の部分に分割可能である分割ケーシング構造である。
【００２４】
スタンド３は表裏面部３Ａ，３Ｂを有し、その表面部３Ａに１対の係止部５が形成されている（図４（ａ）〜（ｄ）参照）。各係止部５は、対向する２つの係止爪５Ａを有する。一方、図５（ａ）〜（ｃ）に示すように、機器ケーシングの上面部４Ｃには、１対の係止部５に対応して１対の第１被係合部６がそれぞれ形成される一方、下面部４Ｄには、１対の係止部５に対応して１対の第２被係合部７が形成されている。そして、機器ケーシング２の上面部４Ｃまたは下面部４Ｄを、スタンド３の表面部３Ａに直交する方向であって機器本体２のケーシング上下方向Ｓ１に相対移動させることにより、第１被係合部６または第２被係合部７が係止部５に係脱可能に係合するようになっている。
【００２５】
第１被係合部６と第２被係合部７とは対称に配置されており、上下を反転させることで、係止部５に対しいずれの被係合部６，７を係止させることもできる。第２被係合部７の形状は、図５（ｃ）に第２被係合部７について示すように、下面部４Ｄに平行に延びる板状部７ａ（第２板状部）と、この板状部７ａを下面部４Ｄに連結する連結部７ｂとを有する。第１被係合部６も、第２被係合部７と同一形状で、板状部６ａ（第１板状部）と、連結部（図示せず）とを有する。
【００２６】
また、表面部３Ａには、２つの係止部５に機器本体２の、２つの第１被係合部６または第２被係合部７を係止させる際に用いられる、２つの第１位置決めマーク１１が設けられている。そして、機器ケーシング４の背面部４Ｂに第１位置決めマーク１１に対応する第２位置決めマーク１２が設けられている。これにより、第１位置決めマーク１１に第２位置決めマーク１２をほぼ一致させて、機器ケーシング２の上面部４Ｃまたは下面部４Ｄを、スタンド３の表面部３Ａに直交する方向（機器本体２のケーシング上下方向Ｓ１）に相対移動させることにより、第１被係合部６または第２被係合部７が係止部５に係脱可能に係合することになる。
【００２７】
下面部４Ｄを下側とする縦置き状態として卓上などに設置する場合には、係止部５は、板状部７ａを係止することになる。各係止部５は、図４（ｄ）に示すように、板状部７ａの幅に対応する間隔を介して設けられた２つの係止爪５Ａを有し、各係止爪５Ａは板状部６ａまたは７ａの側縁に係合して機器本体２を係止する爪部５Ａａと、この爪部５Ａａを表面部３Ａに連結する連結部５Ａｂとを有する。２つの係止爪５Ａは、爪部５Ａａ同士が互いに対向して向き合うように配置され、連結部５Ａｂが可撓性を有する。
【００２８】
そして、第１位置決めマーク１１に第２位置決めマーク１２をほぼ一致させて、機器ケーシング２の上面部４Ｃまたは下面部４Ｄを、スタンド３の表面部３Ａに向けて表面部３Ａに直交する方向（ケーシング上下方向Ｓ１）に移動させれば、係止爪５Ａ（連結部５Ａｂ）が可撓性を有するので、係止爪５Ａの間隔が開き、それらの間に第１被係合部６の板状部６ａまたは第２被係合部７の板状部７ａが進入して、板状部６ａまたは７ａの両側縁が、２つの係止爪５Ａによって係脱可能に係止されることになる（図６（ａ）（ｂ）参照）。
【００２９】
このように、上下面部４Ｃ，４Ｄには、スタンド３の係止部５にて係止される板状部６ａ，７ａ（第１および第２被係合部６，７）を有するので、スタンド３に機器本体２の上下を反転させた取り付けを可能とする構造を簡単に実現できる。係止爪５Ａの爪部５Ａａで板状部６ａ，７ａを弾性的に係止するので、取り外し性を損なうことなく、係止を確実とすることができる。
【００３０】
また、機器ケーシング４の背面部４Ｂには、スタンド３の、２つの係止部５に対応して２つの凹部４ａが形成され、この各凹部４ａ内に、係合状態においてスタンド３の表面部３Ａと平行な方向であってスタンド３に対する機器本体２のケーシング左右方向Ｓ２の相対移動により係止部５に係脱可能に係合する第３被係合部８の、突片状の板状部８ａ（第３板状部）が配置されている。この板状部８ａは、板状部７ａと同様に、背面部４Ｂと平行にかつケーシング左右方向Ｓ２に延び、中央部分が連結部８ｂを介して背面部４Ｂに連結されて第３被係合部を構成している。
【００３１】
また、板状部８ａの幅は、板状部７ａの幅と同じで、各係止部５の，２つの係止爪５Ａの間隔に対応している。そして、壁掛け使用とするとき（壁面に取り付けたスタンド３に機器本体２を係止させる場合）には、図７（ａ）（ｂ）および図８（ａ）〜（ｃ）に示すように、各係止爪５Ａの爪部５Ａａを板状部８ａの両側縁に係合させて、機器本体２を壁面（図示せず）に設置することもできるようになっている。なお、この壁掛け使用のときには、スタンド３は第１位置決めマーク１１，１１が下側になるように取り付けることができるので、スタンド３の向きを誤りなく、取り付けることができる。
【００３２】
また、各係止爪５Ａには、さらに、爪部５Ａａの端部に、爪部５Ａａの長手方向に突出する延長フック部５Ａｃが設けられている。この延長フック部５Ａｃが、第１位置決めマーク１１が設けられている側とは反対側に突出しているので、延長フック部５Ａｃが板状部８ａの支持する部分の内側に嵌り込み（図８（ｂ）参照）、係止が確実となる。第１位置決めマーク１１，１１が、壁面にスタンド３をねじ止めする場合などの目印となり、スタンド３の取付けの際に上下の向きを誤ることを回避できる。
【００３３】
また、スタンド３の表面部３Ａには、係止部５，５に対応して係止部５，５を挟んで両側に第１および第２規制凸部１３，１３，１４，１４が突出して設けられる一方、機器本体２の背面部４Ｂに第１および第２規制凸部１３，１３，１４，１４に対応して第３および第４規制凸部１５，１６，１６が設けられている。そして、壁掛けのために板状部８ａに係止部５（係止爪５Ａ，５Ａ）を係合させる際には、第１規制凸部１３、１３が第３規制凸部１５を乗り越え、第２規制凸部１４，１４が第４規制凸部１６，１６に乗り上げ、スタンド３に対し機器本体２がガタつくのを防止する構成とされている（図８（ｂ）参照）。
【００３４】
また、下面部４Ｄをスタンド３に係合して上面部４Ｃが上になるように設置しているが、図９に示すように、上面部４Ｃをスタンド３に係合して下面部４Ｄが上になるように設置することも可能であるし、図１０に示すように、スタンド３を用いることなく、背面部４Ｂが下になるようにして、機器本体２だけを横置きに設置して使用することもできるのはもちろんである。
【００３５】
上記構成によれば、背面部４Ｂを下側とする横置き使用だけでなく、上面部４Ｃあるいは下面部４Ｄを下側とし、スタンド３で支持する２態様の縦置き使用や、また、壁面に取り付けたスタンド３に機器本体２を係止させる壁掛け使用も可能となり、設置場所に応じた使用（設置態様）の多様化が図れる。しかもいずれの場合も、設置作業が容易で、専門的な工具・技能を必要としないので、設置態様の変更も簡単である。
【００３６】
よって、下面部４Ｄを下側とし、スタンド３で支持する縦置きでの使用において、上面部４Ｃを下側とする縦置きに容易に変更できる。この場合、第１および第２位置決めマーク１１，１２を基準にして、機器ケーシング４（機器本体２）とスタンド３との係合をおこなうことで、作業を容易に行える。そのため、例えば、縦置きでの使用で、電子機器１から引き出されている配線などが邪魔となって設置が困難な場合、機器本体２の上下を反転させて配線などの位置を簡単に変更することができ、その変更によって設置を可能とすることができる。
【符号の説明】
【００３７】
１    電子機器
２    機器本体
３    スタンド
３Ａ  表面部
３Ｂ  裏面部
４    機器ケーシング
４Ａ  正面部
４Ｂ  背面部
４Ｃ  上面部
４Ｄ  下面部
４Ｅ  左側面図
４Ｆ  右側面図
５  係止部
５Ａ  係止爪
５Ａａ  爪部
５Ａｂ  連結部
５Ａｃ  延長フック部
６  第１被係合部
６ａ  板状部（第１板状部）
７  第２被係合部
７ａ  板状部（第２板状部）
７ｂ  連結部
８  第３被係合部
８ａ  板状部（第３板状部）
８ｂ  連結部
１１  第１位置決めマーク
１２  第２位置決めマーク
１３  第１規制部
１４  第２規制部
１５  第３規制部
１６  第４規制部
【図１】
2014239163.tif 000003
【図２】
2014239163.tif 000004
【図３】
2014239163.tif 000005
【図４】
2014239163.tif 000006
【図５】
2014239163.tif 000007
【図６】
2014239163.tif 000008
【図７】
2014239163.tif 000009
【図８】
2014239163.tif 000010
【図９】
2014239163.tif 000011
【図１０】
2014239163.tif 000012